【手続補正書】
【提出日】平成24年3月2日(2012.3.2)
【手続補正１】
【補正対象書類名】特許請求の範囲
【補正対象項目名】全文
【補正方法】変更
【補正の内容】
【特許請求の範囲】
【請求項１】
高周波核磁気共鳴コイルと、
前記高周波コイルに電気的に接続された可変コンデンサと、
前記可変コンデンサの静電容量を調節するために、前記可変コンデンサに連結された切り換え可能な手動モード/モータ駆動モードの同調アセンブリとを備えた核磁気共鳴機器であって、
前記同調アセンブリは、
前記可変コンデンサに連結された、軸方向に回転可能な長手形状の同調シャフトと、
前記同調アセンブリが手動モードのときに前記同調シャフトに連結されている手動制御器であって、前記同調シャフトを手動で回転させて、前記可変コンデンサの前記静電容量を調節するための手動制御器と、
前記同調アセンブリがモータ駆動モードのときに前記同調シャフトに連結され、前記同調アセンブリが前記手動モードのときに前記同調シャフトから連結解除されている同調モータであって、前記同調シャフトの回転を駆動して、前記可変コンデンサの前記静電容量を調節するための同調モータと、
前記同調アセンブリが前記モータ駆動モードのときに前記同調モータを前記同調シャフトに連結しているモード切り換え連結器であって、前記同調モータに接続された第1の連結器末端および前記同調シャフトに接続された第2の連結器末端を備え、前記モータ駆動モードにおいて、前記第1の連結器末端は前記第2の連結器末端に連結されて前記第2の連結器末端の軸方向に関する回転を駆動し、前記手動モードにおいて、前記第1の連結器末端は前記第2の連結器末端から長手方向に分離され回転に関して連結解除されているモード切り換え連結器とを備えた、核磁気共鳴機器。
【請求項２】
前記同調モータは、前記同調シャフトが通過する中央の長手方向開口部を備えた、請求項1に記載の機器。
【請求項３】
前記同調シャフトを長手方向の伝動シャフトに連結するギヤアセンブリをさらに備え、前記伝動シャフトの回転により前記可変コンデンサの少なくとも1つの電極の動作が駆動され、前記ギヤアセンブリは、前記同調シャフトにより駆動される第1のギヤと、前記第1のギヤに連結され、前記伝動シャフトの前記回転を駆動する第2のギヤとを備えた、請求項1に記載の機器。
【請求項４】
前記ギヤアセンブリの少なくとも１つのギヤの回転数を数えるために、前記ギヤアセンブリに連結されたシャフトエンコーダをさらに備えた、請求項3に記載の機器。
【請求項５】
前記ギヤアセンブリが、
前記同調シャフトによって駆動され、第１の長手方向回転軸を有する第1のギヤと、
前記第1のギヤによって駆動され、前記伝動シャフトを駆動する第2のギヤであって、前記第1の長手方向回転軸と平行であって、かつ同軸でない第2の長手方向回転軸を有する第2のギヤとを備えた、請求項3に記載の機器。
【請求項６】
高周波核磁気共鳴コイルを含む核磁気共鳴回路を同調するための核磁気共鳴機器であって、
前記高周波コイルに電気的に接続された可変コンデンサと、
前記可変コンデンサの静電容量を調節するために、前記可変コンデンサに接続された切り換え可能な手動モード/モータ駆動モードの同調アセンブリとを備え、
前記同調アセンブリは、
前記可変コンデンサに連結された、軸方向に関して回転可能な長手方向の同調シャフトと、
前記同調アセンブリが手動モードのときに前記同調シャフトに連結されている手動制御器であって、前記同調シャフトを手動で回転させて、前記可変コンデンサの前記静電容量を調節するための手動制御器と、
前記同調アセンブリがモータ駆動モードのときに前記同調シャフトに連結され、前記同調アセンブリが前記手動モードのときに前記同調シャフトから連結解除されている同調モータであって、前記同調シャフトの回転を駆動して、前記可変コンデンサの前記静電容量を調節するための同調モータと、
前記同調アセンブリが前記モータ駆動モードのときに前記同調モータを前記同調シャフトに選択的に連結し、前記同調アセンブリが前記手動モードのときに前記同調モータを前記同調シャフトから連結解除する、モード切り換え連結器とを備えた、核磁気共鳴機器。
【請求項７】
モード切り換え連結器の第1の連結器末端および第2の連結器末端を相互連結または連結解除することにより、核磁気共鳴プローブの切り換え可能な手動モード/モータ駆動モードの同調アセンブリを、手動モードおよびモータ駆動モードに択一的に設定するステップであって、前記第1の連結器末端は同調モータに連結されており、前記第2の連結器末端は軸方向に関して回転可能な同調シャフトに連結されており、前記同調シャフトは可変コンデンサに接続されており、前記可変コンデンサは高周波核磁気共鳴コイルに電気的に接続されており、前記モータ駆動モードにおいて前記第1の連結器末端は前記第2の連結器末端に連結されて前記第2の連結器末端の前記軸方向に関する回転を駆動し、前記手動モードにおいて前記第1の連結器末端は前記第2の連結器末端から長手方向に分離され回転に関して連結解除されているステップと、
前記同調アセンブリが前記モータ駆動モードのときに、前記同調モータを使用して前記同調シャフトの回転を駆動することにより、前記可変コンデンサの静電容量を調節するステップと、
前記同調アセンブリが前記手動モードのときに、前記同調シャフトを手動で回転させることにより、前記可変コンデンサの前記静電容量を調節するステップとを含む、方法。
【請求項８】
ギヤアセンブリを使用して、前記同調シャフトを長手方向の伝動シャフトに連結するステップをさらに含み、前記伝動シャフトの回転により、前記可変コンデンサの少なくとも1つの電極の動作が駆動され、前記ギヤアセンブリは、前記同調シャフトにより駆動される第1のギヤと、前記第1のギヤに連結され前記伝動シャフトの前記回転を駆動する第2のギヤとを備えた、請求項7に記載の方法。
【請求項９】
ギヤアセンブリを使用して、前記同調シャフトを長手方向の伝動シャフトに連結するステップをさらに含み、前記伝動シャフトの回転により、前記可変コンデンサの少なくとも1つの電極の動作が駆動され、前記ギヤアセンブリは、前記同調シャフトにより駆動される第1のギヤと、前記第1のギヤに連結され前記伝動シャフトの前記回転を駆動する第2のギヤとを備え、
前記第1のギヤは、第１の長手方向回転軸を有し、
前記第2のギヤは、前記第1のギヤによって駆動され、前記第1の長手方向回転軸と同軸の第2の長手方向回転軸を有し、
前記ギヤアセンブリは、前記第1のギヤと前記第2のギヤとを連結するシャフトエンコーダギヤであって、前記第1の長手方向回転軸に直交する横方向の回転軸を有するシャフトエンコーダギヤをさらに備えている、請求項7に記載の方法。
【請求項１０】
高周波核磁気共鳴コイルを含む核磁気共鳴回路を同調するための方法であって、
核磁気共鳴プローブの切り換え可能な手動モード/モータ駆動モードの同調アセンブリを、手動モードおよびモータ駆動モードに択一的に設定するステップであって、前記モータ駆動モードにおいて同調モータは同調シャフトに連結されて前記同調シャフトの前記軸方向に関する回転を駆動し、前記手動モードにおいて前記同調モータは前記同調シャフトから回転に関して連結解除されているステップと、
前記同調アセンブリが前記モータ駆動モードのときに、前記同調モータを使用して前記同調シャフトの回転を駆動することにより、可変コンデンサの静電容量を調節するステップと、
前記同調アセンブリが前記手動モードのときに、前記同調シャフトを手動で回転させることにより、前記可変コンデンサの前記静電容量を調節するステップとを含む、方法。